(57)【要約】【課題】積層フィルム製の袋の分野において、開封した袋の口部を大きく開口させた状態に保つことができ、粉状等の内容物でもスプーン等で容易に取り出せ、又、再封性も付与でき、使用後の廃棄処理も容易な開口保持機能付き袋を低コストで提供する。【解決手段】積層フィルム1 を袋状にヒートシールしてなる袋において、該袋の一端の口部を開封して開口させた時、該口部の少なくとも片面の積層フィルム1 に、紙を基材とするテープ状シート10を貼着して開口保持機能付き袋を構成する。尚、テープ状シート10の紙は米坪量 120〜340 ｇ／ｍ2 であることが好ましく、またテープ状シート10にはその長手方向に沿って樋状に熱成形を施してもよく、更に、袋の口部の内面にはチャックテープ11を取付けることもできる。【選択図】図４
2007191200.tif 000002
【特許請求の範囲】
【請求項１】
積層フィルムを袋状にヒートシールしてなる袋において、該袋の一端の口部を開封して開口させた時、該口部の少なくとも片面の積層フィルムに、該口部の開口を保持するための紙を基材とするテープ状シートが貼着されていることを特徴とする開口保持機能付き袋。
【請求項２】
前記テープ状シートの紙が、米坪量１２０〜３４０ｇ／ｍ2 の紙であることを特徴とする請求項１記載の開口保持機能付き袋。
【請求項３】
前記テープ状シートが、紙の少なくとも片面にポリオレフィン系樹脂層を積層した積層シートで形成されていることを特徴とする請求項１または２に記載の開口保持機能付き袋。
【請求項４】
前記テープ状シートが、その長手方向に沿って、幅方向の一部または全体が樋状となるように熱成形されて貼着されていることを特徴とする請求項１乃至３のいずれかに記載の開口保持機能付き袋。
【請求項５】
前記袋の口部に、前記テープ状シートに加えて、チャックテープが設けられていることを特徴とする請求項１乃至４のいずれかに記載の開口保持機能付き袋。
【請求項６】
前記袋が、底部に積層フィルムを内側に折り返してなるガセット部を設けた自立袋形式に形成され、且つ、該底部のガセット部は、下側端縁部の中央部はヒートシールが行われず、両側部の所定幅の領域のみが、それぞれ内側下端から斜め外側上方に向けて、斜め方向に所定幅でヒートシールされ、その下側角部の余白部はそれぞれカットされていることを特徴とする請求項１乃至５のいずれかに記載の開口保持機能付き袋。
【請求項７】
前記袋が、その長さと幅の比率が、長さが１に対して幅が０．８〜１．５の範囲となるように形成されていることを特徴とする請求項１乃至６のいずれかに記載の開口保持機能付き袋。
【発明の詳細な説明】
【技術分野】
【０００１】
本発明は、開口保持機能付き袋に関し、更に詳しくは、内容物を密封包装する積層フィルム製の袋において、袋の一端の口部に簡単な開口保持部材を取り付けることにより、袋の口部を開封して開口させた時、積層フィルムの反発力などで口部が閉じることがなく、その開口を大きく保持することができ、内容物の取り出しを容易に行えるようにした開口保持機能付き袋、更に、開口保持機能に加えて再封性を付与して、内容物が粉状や粒状などでスプーンなどで少量ずつ取り出して使用するような場合でも、容易に内容物の取り出しと袋の再封とを行えるようにした開口保持機能付き袋に関する。
【背景技術】
【０００２】
従来、積層フィルム製の袋は、ガラス瓶や金属缶、或いは各種のプラスチック成形容器などの剛性容器と比較して、空容器が嵩張らず、軽量で使用材料も少なくて済み、経済性に優れると共に、廃棄処理も容易であることから、固形物を始めとして、粒状、顆粒状、粉状、或いは液状など多種類の内容物の包装容器として広範囲の分野で使用されるようになっている。
しかし、積層フィルム製の袋は、柔軟性材料による容器であり、種々の利点を有する反面、袋に充填された内容物を取り出す際に、袋の口部を開封して両側に開口させた後、手を離すと、積層フィルムの弾性により開口部が元の状態に戻り、口部が狭くなり内容物を取り出し難くなる問題があった。この問題を解決するために、例えば、袋の口部の周囲に塑性変形し易い針金などの金属線を封入する方法があった。しかし、金属線を封入すると使用後の廃棄処理の際に、焼却しても燃えカスとして残り廃棄処理が難しくなる問題があった。このため金属線に代わる材料で、廃棄処理が容易で且つ塑性変形し易く、袋の開口を保持できる部材の開発が行われ、その部材を取り付けて袋の開口を保持できるようにした袋が種々提案されている。
【０００３】
このような開口保持機能を付与した袋としては、例えば、〔１〕「袋口の形状を保持できる袋」として、プラスチック袋の袋口に沿って、好ましくは袋口の外側に、プラスチック製、好ましくはポリオレフィン製の形状保持テープが融着又は接着されており、該形状保持テープは長さ方向に、総延伸倍率１０〜４０倍に圧延延伸されたプラスチックテープであり、任意の部位を曲げた場合に、任意の角度に容易に曲がり、次に異なる曲げ角度に修正する力が加わるまでは、先の曲げ角度を保持できるようにした袋がある（特許文献１参照）。
【０００４】
また、〔２〕「形状保持テープおよび包装袋」として、形状保持テープを、主鎖にベンゼン環を有する熱可塑性樹脂を主成分とする形状保持層を含む構成としたもの、前記形状保持層をポリエチレンテレフタレートを主成分として構成したもの、前記形状保持層を非晶性ポリエチレンテレフタレートを主成分として構成したもの、また、前記形状保持層をポリブチレンテレフタレートを主成分として構成したものとし、これらのいずれかの形状保持テープを熱可塑性樹脂からなる包装袋の開口部周縁に沿って設けた包装袋がある（特許文献２参照）。
【特許文献１】特開２００５−８８８９３号公報（第２頁〜第４頁、図１〜図３）
【特許文献２】特開２００４−２４４０２３号公報（第２頁、図１、図２）
【０００５】
しかしながら、前記特許文献１に記載された「袋口の形状を保持できる袋」では、その形状保持テープをプラスチック製、好ましくはポリオレフィン製として、長さ方向に、総延伸倍率１０〜４０倍に圧延延伸して作製したものであり、その延伸加工は比較的低速となり生産性に劣り、コスト面でも高価になる問題があった。また、形状保持テープ自体はプラスチック製であり、良好な形状保持効果を得るためには相応の厚みと幅が必要であるため、プラスチック袋におけるプラスチックの使用量を増すことになり、廃棄処理の観点でも好ましくなかった。
【０００６】
また、前記特許文献２に記載された「形状保持テープおよび包装袋」でも、その形状保持テープは、図２にも示されているように、熱可塑性樹脂を主成分とする形状保持層と、その周囲を囲むか、またはその両面に積層されたヒートシール層からなるものであり、形状保持層についても有効な形状保持効果を得るためには、その配合を適正に行う必要があり、製造工程が複雑でありコストも高価になる問題があった。また、この場合も、形状保持テープは、その形状保持層およびヒートシール層とも熱可塑性樹脂を主体とするものであり、熱可塑性樹脂からなる包装袋における熱可塑性樹脂の使用量を増す方向であり、廃棄処理の観点でも好ましくなかった。
【発明の開示】
【発明が解決しようとする課題】
【０００７】
本発明は、前記のような問題点を解決するためになされたものであり、その課題は、積層フィルム製の開口保持機能付き袋の分野において、製造が簡単で生産性がよくコストも安く、廃棄処理にも問題がなく、また、袋の口部を大きく且つ安定して開口させることができ、内容物が粉状や粒状などの場合でも、スプーンなどで容易に且つ安全に取り出すことができる開口保持機能付き袋を提供することである。
【課題を解決するための手段】
【０００８】
上記の課題は、以下の本発明により解決することができる。
即ち、請求項１に記載した発明は、積層フィルムを袋状にヒートシールしてなる袋において、該袋の一端の口部を開封して開口させた時、該口部の少なくとも片面の積層フィルムに、該口部の開口を保持するための紙を基材とするテープ状シートが貼着されていることを特徴とする開口保持機能付き袋からなる。
【０００９】
本発明において、袋の形式は、その口部に紙を基材とするテープ状シートを貼着できるものであれば特に限定はされず、例えば、三方シール形式、四方シール形式などの平袋のほか、スタンディングパウチなど、底部をガセット形式で形成した自立袋形式の袋などを好適に使用することができる。
また、袋の口部に貼着される紙を基材とするテープ状シートは、板紙などの紙単体でもよいが、紙の片面または両面に合成樹脂などを積層した積層シートを使用することができる。積層シートを使用する場合は、紙の少なくとも一方の面に、袋の積層フィルムに熱接着するための熱接着性樹脂層を設けた積層シートであることが好ましい。
基材の紙に関しては、特に限定はされないものの、袋の開口を良好に保持するためには、剛性があり且つ折り曲げにより塑性変形し易い紙が好ましく、更に、スリッティングやカッティング加工などの際に、紙粉の発生が少なく、衛生性に優れることが好ましく、具体的には、コップ原紙やミルクカートン原紙等の板紙が特に好ましい。
このような紙を基材とするテープ状シートは、袋の口部の両面の積層フィルムのうち、片面の積層フィルムのみに貼着してもよいが、開封した袋の口部をより大きく安定して開口させるためには両面の積層フィルムに貼着することが更に好ましい。
また、テープ状シートの貼着位置についても、開封された口部の近くで開口端に沿う位置であれば、袋の内面側でも外面側でもいずれでもよい。
【００１０】
請求項２に記載した発明は、前記テープ状シートの紙が、米坪量１２０〜３４０ｇ／ｍ2 の紙であることを特徴とする請求項１記載の開口保持機能付き袋からなる。
【００１１】
前記テープ状シートの紙は、米坪量１２０〜３４０ｇ／ｍ2 の紙が好ましい。紙の米坪量が１２０ｇ／ｍ2 未満の場合は、剛度が不足し、折りクセも弱くなり、十分な開口保持機能を得られないため好ましくない。また、紙の米坪量が３４０ｇ／ｍ2 超える場合は、一般的な寸法の袋に対しては、既に十分な開口保持機能を得るための剛度と折りクセの強さを有しており、その必要性がなく、むしろテープ状シートを熱接着で袋に貼着する際の加工性が低下するため好ましくない。
また、前記テープ状シートの幅は、袋の寸法や積層フィルムの厚みなどにより異なるため、一律には決められないが、８〜２０ｍｍ程度の範囲が適当である。
【００１２】
請求項３に記載した発明は、前記テープ状シートが、紙の少なくとも片面にポリオレフィン系樹脂層を積層した積層シートで形成されていることを特徴とする請求項１または２に記載の開口保持機能付き袋からなる。
【００１３】
前記紙へのポリオレフィン系樹脂層の積層は、例えば、袋の口部の内面にテープ状シートを熱接着により貼着する場合に、その接着強度を一層強くするために積層するものであり、袋の積層フィルムのシーラント層に合わせて、それと同一または熱接着性の良好なポリオレフィン系樹脂を選定して積層することが好ましい。
特に、テープ状シートを袋の口部の内面の全幅に熱接着する場合は、紙の端面からの外気の進入を防ぐため、更に、その上を覆うようにポリエチレン製などのカバーフィルムを熱接着することが好ましく、その場合は、カバーフィルムとテープ状シートとの熱接着性もよくするため、紙の両面にポリオレフィン系樹脂のうち適するものを選定して積層することが好ましい。
【００１４】
請求項４に記載した発明は、前記テープ状シートが、その長手方向に沿って、幅方向の一部または全体が樋状となるように熱成形されて貼着されていることを特徴とする請求項１乃至３のいずれかに記載の開口保持機能付き袋からなる。
【００１５】
請求項５に記載した発明は、前記袋の口部に、前記テープ状シートに加えて、チャックテープが設けられていることを特徴とする請求項１乃至４のいずれかに記載の開口保持機能付き袋からなる。
【００１６】
前記チャックテープは、互いに嵌合可能な凸条の雄型嵌合部が設けられた雄型テープ体と、凹条の雌型嵌合部が設けられた雌型テープ体とで構成され、袋の口部の内面に、両者をその雄型嵌合部と雌型嵌合部とが対向するように配置し、そのテープ体部で袋に熱接着して取り付け、前記雄型嵌合部と雌型嵌合部との嵌合または解離により、袋の開閉を容易に、且つ繰り返し行えるようにするものである。
前記のように、袋の口部に、前記テープ状シートに加えて、チャックテープを貼着する場合、チャックテープの貼着面は、袋の口部の内面に限定されるが、テープ状シートに関しては袋の口部の内面でもよく、また外面でもよい。
前記テープ状シートとチャックテープを袋の口部に貼着する際の位置関係は、テープ状シートを口部の開口端に近い上側の位置とし、その下側にチャックテープを貼着することが最良であるが、両者を同位置、または逆にチャックテープを上側の位置とし、テープ状シートをその下側の位置に貼着することもできる。
また、テープ状シートとチャックテープの両方を袋の口部の内面に貼着する場合、その貼着順序は、先にテープ状シートを貼着し、その後でチャックテープを貼着することが好ましい。このような順序で貼着することにより、前述したテープ状シートの上に密封性向上のために熱接着するカバーフィルムに代えて、チャックテープのテープ体部の幅を必要なだけ広げたもの使用してテープ状シートを密封できるので、使用部材数を減らすことができ、生産性を高めることができる。
【００１７】
請求項６に記載した発明は、前記袋が、底部に積層フィルムを内側に折り返してなるガセット部を設けた自立袋形式に形成され、且つ、該底部のガセット部は、下側端縁部の中央部はヒートシールが行われず、両側部の所定幅の領域のみが、それぞれ内側下端から斜め外側上方に向けて、斜め方向に所定幅でヒートシールされ、その下側角部の余白部はそれぞれカットされていることを特徴とする請求項１乃至５のいずれかに記載の開口保持機能付き袋からなる。
【００１８】
請求項７に記載した発明は、前記袋が、その長さと幅の比率が、長さが１に対して幅が０．８〜１．５の範囲となるように形成されていることを特徴とする請求項１乃至６のいずれかに記載の開口保持機能付き袋からなる。
【発明の効果】
【００１９】
請求項１に記載した発明によれば、開口保持機能付き袋を、積層フィルムを袋状にヒートシールしてなる袋において、該袋の一端の口部を開封して開口させた時、該口部の少なくとも片面の積層フィルムに、該口部の開口を保持するための紙を基材とするテープ状シートが貼着された構成としているので、袋に充填された内容物を取り出す際に、袋の一端の口部を開封した後、例えば、口部の中央部を両側に開いて大きく開口させ、口部の積層フィルムに貼着されているテープ状シートを、積層フィルムと共に外折りすることにより、テープ状シートが、特にその紙の折りクセ（塑性変形）と剛性により、外側に折り曲げられた形状を維持して、袋の口部を大きく開口させた状態に保持することができ、内容物の取り出しを容易に行えるようになる。
また、テープ状シートは、紙を基材としているので低コストで製造できると共に、使用後の袋の廃棄処理も容易に行える。
【００２０】
請求項２に記載した発明によれば、請求項１に記載した発明の開口保持機能付き袋の構成において、前記テープ状シートの紙を、米坪量１２０〜３４０ｇ／ｍ2 の紙とした構成としているので、請求項１に記載した発明の作用効果に加えて、テープ状シートに必要な剛度と折りクセの強さが無駄なく確実に得られるようになり、袋に十分な開口保持機能を一層確実に付与できるようになる。
【００２１】
請求項３に記載した発明によれば、請求項１または２に記載した発明の開口保持機能付き袋の構成において、前記テープ状シートが、紙の少なくとも片面にポリオレフィン系樹脂層を積層した積層シートで形成された構成としているので、請求項１または２に記載した発明の作用効果に加えて、前記ポリオレフィン系樹脂層の樹脂を、袋の積層フィルムのシーラント層の樹脂やカバーフィルム或いは、チャックテープのテープ体部の樹脂に対応して、これらと熱接着可能な樹脂を選定して使用することにより、熱接着方式で強固に接着できるので、優れた性能の開口保持機能付き袋を生産性よく製造できるようになる。
【００２２】
請求項４に記載した発明によれば、請求項１乃至３のいずれかに記載した発明の開口保持機能付き袋の構成において、前記テープ状シートが、その長手方向に沿って、幅方向の一部または全体が樋状となるように熱成形されて貼着された構成としているので、請求項１乃至３のいずれかに記載した発明の作用効果に加えて、樋状の熱成形部のリブ効果によりテープ状シートの長手方向の剛度が一層高められるので、折りクセも強くでき、テープ状シートによる開口保持機能を一層向上させることができる。
【００２３】
請求項５に記載した発明によれば、請求項１乃至４のいずれかに記載した発明の開口保持機能付き袋の構成において、前記袋の口部に、前記テープ状シートに加えて、チャックテープが設けられた構成としているので、請求項１乃至４のいずれかに記載した発明の作用効果に加えて、袋に再封性が付与されるので、袋に充填された内容物を少量ずつ取り出して使用する場合でも、取り出し後、再封することにより、次回の使用まで安全に保存することができる。
【００２４】
請求項６に記載した発明によれば、請求項１乃至５のいずれかに記載した発明の開口保持機能付き袋の構成において、前記袋が、底部に積層フィルムを内側に折り返してなるガセット部を設けた自立袋形式に形成され、且つ、該底部のガセット部は、下側端縁部の中央部はヒートシールが行われず、両側部の所定幅の領域のみが、それぞれ内側下端から斜め外側上方に向けて、斜め方向に所定幅でヒートシールされ、その下側角部の余白部はそれぞれカットされた構成としているので、請求項１乃至５のいずれかに記載した発明の作用効果に加えて、内容物を充填した袋は、底部が前後に大きく広がると共に、ガセット部の内側に折り込まれた積層フィルムにより底面が形成されるので自立性が備わり、袋の取り扱いや内容物の取り出し操作などを一層容易に行えるようになる。
特に、底部のガセット部の下側端縁部はヒートシールを行わず、積層フィルムの折り返しで形成しているので、内容物の取り出しなどの際に、袋の底部を手のひらで支えても、ヒートシール部の端部のように、痛みを感じることがなく、ソフトな手触りで袋を持つことができる。
【００２５】
請求項７に記載した発明によれば、請求項１乃至６のいずれかに記載した発明の開口保持機能付き袋の構成において、前記袋を、その長さと幅の比率が、長さが１に対して幅が０．８〜１．５の範囲となるように形成した構成としているので、請求項１乃至６のいずれかに記載した発明の作用効果に加えて、袋の形状、特に開封後の袋の形状を横長に形成できるので、袋の口部を大きく且つ袋の深さを浅くすることができ、内容物が粒状や粉状で、その取り出しを計量カップやスプーンなどで行う場合でも、一層容易に取り出すことができる。
【発明を実施するための最良の形態】
【００２６】
以下、図面を参照しながら本発明の実施の形態について説明する。但し、本発明は、その要旨を越えない限り、これらの図面に限定されるものではない。
図１は、本発明の開口保持機能付き袋の第１の実施例の構成を示す正面図である。
図２は、本発明の開口保持機能付き袋の第２の実施例の構成を示す正面図である。
図３は、本発明の開口保持機能付き袋の第３の実施例の構成を示す正面図である。
図４は、本発明の開口保持機能付き袋の第４の実施例の構成を示す正面図である。
図５は、本発明の開口保持機能付き袋の第５の実施例の構成を示す正面図である。
図６の（イ）、（ロ）は、それぞれ本発明の開口保持機能付き袋の一実施例の上部の構成を説明する上部中央部の部分模式縦断面図である。
図７の（イ）、（ロ）、（ハ）、（ニ）は、それぞれ本発明の開口保持機能付き袋の更に別の一実施例の上部の構成を説明する上部中央部の部分模式縦断面図である。
【００２７】
本発明において、開口保持機能付き袋に用いる積層フィルム、主にプラスチックを主体とする積層フィルムで、最内層にシーラント層が積層された積層フィルムが用いられるが、特に限定はされず、充填される内容物や使用条件などに応じて種々の構成の積層フィルムを使用することができる。
簡単な構成では、基材フィルム層にシーラント層を積層して構成することができるが、要求される性能に応じて、基材フィルム層とシーラント層との間に、中間層として、水蒸気その他のガスバリヤー層や、遮光層、強度向上層などを積層して構成することができる。上記基材フィルム層、中間層、シーラント層は、それぞれを単独の層で形成してもよいが、複数の層を積層して形成してもよい。
【００２８】
上記基材フィルム層には、二軸延伸ポリプロピレンフィルムのほか、二軸延伸ポリエチレンテレフタレートフィルム、二軸延伸ポリエチレンナフタレートフィルムなどの二軸延伸ポリエステルフィルムや、ナイロン６、ナイロン６６、ＭＸＤ６（ポリメタキシリレンアジパミド）などのフィルムを二軸延伸した二軸延伸ポリアミドフィルムなどを好適に使用することができる。これらは単独で使用してもよく、また、複数を組み合わせて積層して使用してもよい。
【００２９】
中間層をガスバリヤー層とする場合、中間層には、エチレン・酢酸ビニル共重合体ケン化物（ＥＶＯＨ）、ポリ塩化ビニリデン（ＰＶＤＣ）、ポリアクリロニトリル（ＰＡＮ）、ＭＸＤ６などのフィルムのほか、アルミニウム箔などの金属箔、或いは、シリカ、アルミナ、酸化亜鉛、酸化マグネシウム、ＩＴＯ、アルミニウムなどの無機酸化物や金属の蒸着層、またはＰＶＤＣ、ポリビニルアルコール（ＰＶＡ）、ポリアクリル酸（ＰＡＡ）などの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
これらのうち、アルミニウム箔またはアルミニウムの蒸着層を設けたフィルムは、不透明で遮光性を有するため遮光層を兼ねることもできる。
中間層を強度向上層とする場合は、前記基材フィルムのいずれかを適宜追加して積層してもよく、また、二軸延伸高密度ポリエチレンフィルムなどを防湿層を兼ねて積層してもよい。
上記基材フィルム層と中間層の積層には、公知のドライラミネーション法または押し出しラミネーション法（サンドイッチラミネーション法）を用いることができる。
【００３０】
最内層のシーラント層には、低密度ポリエチレン（ＬＤＰＥ）、直鎖状低密度ポリエチレン（Ｌ・ＬＤＰＥ）のほか、シングルサイト触媒を用いて重合したエチレン・α−オレフィン共重合体、エチレン・酢酸ビニル共重合体（ＥＶＡ）、エチレン・アクリル酸共重合体（ＥＡＡ）、エチレン・メタクリル酸のランダム共重合体（ＥＭＡＡ）、そして、エチレン・アクリル酸メチル共重合体（ＥＭＡ）、エチレン・アクリル酸エチル共重合体（ＥＥＡ）などのエチレン・アクリル酸エステル共重合体、アイオノマー、ポリプロピレンまたはその共重合体などのポリオレフィン系樹脂を使用することができ、これらの中から、充填される内容物に応じて、適するものを適宜に選定して使用することができる。
シーラント層の積層は、上記の樹脂をフィルム状に製膜し、そのフィルムをドライラミネーション法または押し出しラミネーション法で積層する方法、或いは、上記の樹脂を押し出しコートして積層する方法などを採ることができるが、例えば、内容物がシーラント層に浸透しやすいものを含むような場合は、接着強度に優れたドライラミネーション法で積層することが好ましい。
【００３１】
図１は、本発明の開口保持機能付き袋の第１の実施例の構成を示す正面図であり、図１に示した開口保持機能付き袋１００は、袋本体をスタンディングパウチ形式に形成したものであり、袋の底部が、前後の壁面の積層フィルム１の下部の間に、底面用積層フィルムを内側に折り返して積層フィルム折り返し部２まで挿入してなるガセット部４を有する形式で形成され、内側に折り込まれた底面用積層フィルムの両側下端近傍には、この場合、縦向き半楕円形の底面フィルム切り欠き部３a 、３b が設けられ、ガセット部４が、内側が両側から中央部にかけて湾曲線状に凹状となる船底形の底部シール部５でヒートシールされて形成され、袋の胴部が、前後の壁面の積層フィルム１の両側の端縁部を側部シール部６a 、６b でヒートシールして形成されている。そして、袋の上部は、内容物の充填および取り出し用の口部とするもので、上部の端縁部は、内容物の充填後に上部シール部７でヒートシールして密封されるが、内容物の充填前は未シールで開口した状態とし、上部シール部７の下側の両面の積層フィルム１に、袋を開封するための開封手段として、この場合、ハーフカット線８とその両端にノッチ９a 、９b を設け、更にその下側にハーフカット線８と平行に紙を基材とするテープ状シート１０を両面の積層フィルム１の内側の面にそれぞれ貼着して構成したものである。
【００３２】
前記テープ状シート１０の袋の口部への貼着は、図１では、貼着の作業性をよくするため、口部の積層フィルム１の内面の全幅に渡るように行ったが、このように貼着するとテープ状シート１０の両側の端面が袋の外側に露出するため、露出した紙の端面を通して外気が袋内に進入する問題がある。従って、テープ状シート１０を貼着する際に、図６の（イ）の模式縦断面図に示すように、テープ状シート１０の上にそれを覆うようにポリエチレンまたはその他のポリオレフィン系樹脂製のカバーフィルム１２を熱接着などで貼着して密閉することにより、外気の袋内への進入を防止することができる。また、別の方法として、テープ状シート１０の貼着の作業性はやや低下するが、テープ状シート１０を、両側の側部シール部６a 、６b の部分を除く袋の内側の領域のみに貼着するようにしてもよい。更に、袋の外観上の問題を気にしない場合は、図６の（ロ）の模式縦断面図に示すように、袋の口部の積層フィルム１の外側の面にテープ状シート１０をホットメルト接着剤やヒートシール剤などの接着剤を用いて貼着してもよい。この場合、テープ状シート１０の表面には絵柄などの印刷を施して外観をよくすることができる。
これらの点は、以下の図２〜図５に示す開口保持機能付き袋についても同様である。
【００３３】
前記袋の開封手段としては、図ではハーフカット線８とノッチ９a 、９b の組み合わせで示したが、これに限定するものではなく、ノッチ、ハーフカット線のほかに、印刷で表示された切り取り線などの開封指示線や開封指示マークや、袋の積層フィルムの中間層などに易引き裂き性の一軸延伸フィルムなどを積層する方法などがあり、これらを単独で用いてもよく、また、複数を適宜組み合わせて用いてもよい。
前記ハーフカット線は、一本のハーフカット線で示したが、引き裂き方向がずれた場合を想定して、中心のハーフカット線の両側に各１本、または各２本など複数のハーフカット線を平行、または交差する形状など任意の形状に設けることができる。更に、ハーフカット線は直線状のハーフカット線に限らず、ミシン目線状などの断続的なハーフカット線で設けることもできる。
【００３４】
開口保持機能付き袋１００を前記のように構成することにより、袋本体がスタンディングパウチ形式に形成されているので、自立性に優れると共に外観もよく、内容物充填シール後の袋の取り扱いや、内容物の取り出し時の操作が容易になり、また、店頭などにおける陳列効果にも優れている。
また、袋の上部シール部７の下側の開封位置には、開封手段としてハーフカット線８とその両端にノッチ９a 、９b を設け、更にその下側の両面の積層フィルム１の内面に、ハーフカット線８と平行に紙を基材とするテープ状シート１０を貼着しているので、袋に充填された内容物を取り出す際には、いずれか一方のノッチを始点としてハーフカット線８に沿って容易に手で引き裂いて袋の口部を開封することができる。
次いで、開封した口部の中央部を手で両側に開いて大きく開口させ、口部の積層フィルム１に貼着されているテープ状シート１０を、積層フィルム１と共にそれぞれ外折りすることにより、テープ状シート１０が、基材の紙の折りクセと剛性により、外側に折り曲げられた状態に維持され、袋の口部を大きく開口させた状態に保持することができ、内容物の取り出しを容易に行うことができる。
【００３５】
図２は、本発明の開口保持機能付き袋の第２の実施例の構成を示す正面図であり、図２に示した開口保持機能付き袋２００は、図１に示した開口保持機能付き袋１００の構成において、袋の口部の内面に貼着したテープ状シート１０の下側に、更に、チャックテープ１１を貼着して構成したものである。
このような構成を採ることにより、前記図１に示した構成の開口保持機能付き袋１００で説明した作用効果に加えて、前記テープ状シート１０の下側に、更に、チャックテープ１１が貼着されているので、袋に充填された内容物を少量ずつ取り出して使用する場合でも、取り出し後、容易に再封することができ、次回の使用まで安全に保存することができる。
【００３６】
図３は、本発明の開口保持機能付き袋の第３の実施例の構成を示す正面図であり、図３に示した開口保持機能付き袋３００は、図１に示した開口保持機能付き袋１００の構成において、袋の底部の構成のみを一部変更して構成したものである。具体的な変更点は、袋の底部のガセット部４の下側端縁部の中央部にはヒートシール部を設けない構成とするため、袋の製袋には、長尺で広幅の積層フィルムを用いて、その中央部をＷ字状に折り返す方法で、袋の底部のガセット部４と胴部を形成し、ガセット部４の下側端縁部の中央部はヒートシールを行わず、両側の所定幅の領域のみをそれぞれ内側下端から斜め外側上方に向けて、斜め方向の所定幅の底部シール部５a 、５b でヒートシールし、その下側角部の余白部はそれぞれカットして袋の底部のガセット部４を形成したものであり、ガセット部４より上の部分は、図１に示した開口保持機能付き袋１００と同様に形成して構成したものである。
このような構成を採ることにより、図１に示した構成の開口保持機能付き袋１００と略同様な作用効果を得られるほか、特にガセット部４の下側端縁部の中央部にはヒートシール部を設けていないので、袋に充填された内容物を取り出す際などに、袋の底部を手のひらで支えるようにして持っても、ヒートシール部の端部のように尖った部分がないので、ソフトな手触りで安全に使用することができる。
【００３７】
図４は、本発明の開口保持機能付き袋の第４の実施例の構成を示す正面図であり、図４に示した開口保持機能付き袋４００は、図３に示した開口保持機能付き袋３００の構成において、袋の口部の内面に貼着したテープ状シート１０の下側に、更に、チャックテープ１１を貼着して構成したものである。
このような構成を採ることにより、前記図３に示した構成の開口保持機能付き袋３００で説明した作用効果に加えて、前記テープ状シート１０の下側に、更に、チャックテープ１１が貼着されているので、袋に充填された内容物を少量ずつ取り出して使用する場合でも、取り出し後、袋の口部を容易に再封することができ、次回の使用まで安全に保存することができる。
【００３８】
尚、本発明の開口保持機能付き袋は、図４に示した構成の開口保持機能付き袋４００に限らず、袋に充填された内容物の取り出し易さを重視しているので、袋の形状は、どちらかと言えば、口部の幅が広く、深さは比較的浅いことが好ましい。従って、図４に示した構成の開口保持機能付き袋４００で言うと、絶対的ではないが、袋の長さ（Ｌ）と幅（Ｗ）の比率が、長さ（Ｌ）が１に対して幅（Ｗ）が０．８〜１．５の範囲にすることが好ましい。この場合、袋の形状を、高さが比較的低く、底面積が大きい形状にできるので、袋の自立性を一層安定化できる利点も得られる。
また、図４に示した構成の開口保持機能付き袋４００では、底部のガセット部４の下側端縁部の中央部にはヒートシール部を設けないことを特徴としたが、この構成の変形タイプとして、ガセット部４の下側端縁部の中央部にもヒートシール部を設けた構成（図示せず）を採ることもできる。その場合は、袋の底部を手のひらで支えるように持った時の手触りがソフトになるという特徴はなくなるが、製袋の際に、前後の壁面の積層フィルムとガセット部４の内側に折り込まれる底面用積層フィルムとを別ピースで供給できるようになるので、通常のスタンディングパウチと同様に製袋することが可能であり、製袋の生産性を向上できる利点がある。
【００３９】
図５は、本発明の開口保持機能付き袋の第５の実施例の構成を示す正面図であり、図５に示した開口保持機能付き袋５００は、図４に示した開口保持機能付き袋４００の構成において、袋の胴部の両側端縁部をヒートシールする側部シール部６a 、６b の形状のみを、胴部の高さ方向の中間部の幅が５〜１０ｍｍ程度狭くなり、袋が括れた形状となるように滑らかに折れ曲がった形状に変更して構成したものである。
このような構成を採ることにより、図４に示した構成の開口保持機能付き袋４００で説明した作用効果に加えて、袋に充填された内容物が、袋の中間部から底部側に集中するようになり、袋の形状が安定化すると共にスマートな感じとなり、袋の外観を向上させることができる。
【００４０】
図６の（イ）、（ロ）は、それぞれ本発明の開口保持機能付き袋の一実施例の上部の構成を説明する上部中央部の部分模式縦断面図である。
図６の（イ）に示した開口保持機能付き袋の上部の構成は、図１、図３に示した開口保持機能付き袋１００、３００の上部の構成に相当するものであり、袋の両面の積層フィルム１、１の上部の端縁部が上部シール部７でヒートシールされ、その下側には袋の口部を開封するためのハーフカット線やノッチなどの開封手段（図示せず）が設けられ、更にその下側の積層フィルム１、１の内側の面に、袋の口部の開口を保持するための紙を基材とするテープ状シート１０、１０が貼着され、また、テープ状シート１０、１０の上には、それを覆うようにポリエチレンフィルムなどのカバーフィルム１２、１２を熱接着して、テープ状シート１０、１０を積層フィルム１とカバーフィルム１２の間に密封して構成したものである。
上記カバーフィルム１２は、図１、図３に示したように、テープ状シート１０を袋の幅全体の長さに貼着した場合に、テープ状シート１０の両側端面を通して外気が袋内に進入するのを防ぐために熱接着したものであり、テープ状シート１０の両側端面が外部に露出しないように貼着した場合は不要である。
【００４１】
また、図６の（ロ）に示した開口保持機能付き袋の上部の構成は、図１、図３に示した開口保持機能付き袋１００、３００の上部の構成において、テープ状シート１０、１０の貼着位置を袋の積層フィルム１、１の外側の面に変更して貼着した構成である。この場合は、前記のようなテープ状シートによる外気の袋内への進入の問題がないので、前記のようなカバーフィルム１２、１２は不要である。
【００４２】
図７の（イ）、（ロ）、（ハ）、（ニ）は、それぞれ本発明の開口保持機能付き袋の更に別の一実施例の上部の構成を説明する上部中央部の部分模式縦断面図である。
図７の（イ）に示した開口保持機能付き袋の上部の構成は、図２、図４、図５に示した開口保持機能付き袋２００、４００、５００の上部の構成に相当するものであり、袋の両面の積層フィルム１、１の上部の端縁部が上部シール部７でヒートシールされ、その下側には袋の口部を開封するためのハーフカット線やノッチなどの開封手段（図示せず）が設けられ、更にその下側の積層フィルム１、１の内側の面に、袋の口部の開口を保持するための紙を基材とするテープ状シート１０、１０が貼着され、更にその下側の積層フィルム１、１の内側の面に、凸条の雄型嵌合部が設けられた雄型テープ体１５と、凹条の雌型嵌合部が設けられた雌型テープ体１６とで構成されるチャックテープ１１が、互いに嵌合部１４で嵌合可能なように熱接着されて取り付けられている。
この構成の場合も、テープ状シート１０、１０の両側端面からの袋内への外気の進入の問題はあるが、テープ状シート１０、１０の下側の位置にチャックテープ１１を熱接着しているので、雄型テープ体１５および雌型テープ体１６のそれぞれのテープ体部の幅を一方に広げて拡大テープ部１７a 、１７b を設けた構成のチャックテープ１１を用いて、その拡大テープ部１７a 、１７b がテープ状シート１０、１０の上を覆うように熱接着して構成したものである。
【００４３】
図７の（ロ）に示した開口保持機能付き袋の上部の構成は、前記図７の（イ）に示した開口保持機能付き袋の上部の構成において、袋の両面の積層フィルム１、１の内側の面に貼着したテープ状シート１０、１０とチャックテープ１１の上下の位置関係のみを逆にしてそれぞれを貼着して構成したものである。
即ち、袋の両面の積層フィルム１、１の上部の端縁部が上部シール部７でヒートシールされ、その下側には袋の口部を開封するためのハーフカット線やノッチなどの開封手段（図示せず）が設けられ、更にその下側の積層フィルム１、１の内側の面に、凸条の雄型嵌合部が設けられた雄型テープ体１５と、凹条の雌型嵌合部が設けられた雌型テープ体１６とで構成されるチャックテープ１１を、互いに嵌合部１４で嵌合可能なように熱接着して取付け、更にその下側の積層フィルム１、１の内側の面に、袋の口部の開口を保持するための紙を基材とするテープ状シート１０、１０を貼着して構成したものである。
但し、この構成の場合も、テープ状シート１０、１０の両側端面からの袋内への外気の進入を防ぐため、チャックテープ１１には、雄型テープ体１５および雌型テープ体１６のそれぞれのテープ体部の幅を一方に広げて拡大テープ部１７a 、１７b を設けた構成のチャックテープ１１を用いており、その拡大テープ部１７a 、１７b でテープ状シート１０、１０の上を覆うように熱接着するためには、位置として下側となるテープ状シート１０、１０を先に貼着し、次いでその上側の位置にチャックテープ１１を、その拡大テープ部１７a 、１７b がテープ状シート１０、１０の上を覆うように配置して熱接着するものである。
【００４４】
前記図７の（イ）、（ロ）に示した開口保持機能付き袋の上部の構成において、テープ状シート１０、１０とチャックテープ１１との位置関係は、前記のほか、テープ状シート１０、１０とチャックテープ１１とが同位置に重なるように貼着することもできる。更に、テープ状シート１０、１０は、前記図６の（ロ）に示すように、袋の積層フィルム１、１の外側の面に貼着してもよい。
【００４５】
図７の（ハ）に示した開口保持機能付き袋の上部の構成は、前記図７の（イ）に示した開口保持機能付き袋の上部の構成において、袋の両面の積層フィルム１、１の内側の面に貼着したテープ状シート１０、１０の上側部分を、その両面に貼着された積層フィルム１およびチャックテープの拡大テープ部１７a または拡大テープ部１７b と共に、その長手方向に沿って内側に膨らむ樋状に熱成形して、それぞれのテープ状シート１０に樋状成形部１３を設けた構成に変更して構成したものである。
【００４６】
テープ状シート１０、１０にこのような樋状成形部１３、１３を設けることにより、樋状成形部１３、１３がリブの作用をするので、テープ状シート１０、１０の長手方向の剛度が高められ、折り曲げた時の折りクセも強くでき、テープ状シート１０、１０による袋の開口保持機能を一層向上させることができる。
また、樋状の熱成形を内側に膨らむ樋状に成形すると、図示したように、テープ状シート１０、１０の上端が袋の外側にせりだす形状となり、それに伴って積層フィルム１、１の上端も外側に開いた状態となるので、袋の口部を開封して内容物を取り出す際に、袋の上端の積層フィルム１、１をつかみやすくなり、袋の開口を容易に行えるようになる。
【００４７】
図７の（ニ）に示した開口保持機能付き袋の上部の構成は、前記図７の（イ）に示した開口保持機能付き袋の上部の構成において、袋の両面の積層フィルム１、１の内側の面に貼着したテープ状シート１０、１０の上側部分を、その両面に貼着された積層フィルム１およびチャックテープの拡大テープ部１７a または拡大テープ部１７b と共に、その長手方向に沿って外側に膨らむ樋状に熱成形して、それぞれのテープ状シート１０に樋状成形部１３を設けた構成に変更して構成したものである。
【００４８】
テープ状シート１０、１０にこのような樋状成形部１３、１３を設けた場合も、その樋状成形部１３、１３がリブの作用をするので、テープ状シート１０、１０の長手方向の剛度が高められ、折り曲げた時の折りクセも強くでき、テープ状シート１０、１０による袋の開口保持機能を一層向上させることができる。
【００４９】
以下に、実施例を挙げて本発明を更に具体的に説明する。
【実施例１】
【００５０】
図２、図７の（イ）に示した構成の開口保持機能付き袋２００を作製することとし、以下の材料と寸法で開口保持機能付き袋２００を作製して、実施例１の開口保持機能付き袋とした。
（１）袋の壁面用積層フィルム１の構成
（外側）二軸延伸ナイロンフィルム（以下、ＯＮフィルムと記載する）（厚み１５μｍ）・絵柄等印刷層／接着剤／直鎖状低密度ポリエチレンフィルム（以下、Ｌ・ＬＤＰＥフィルムと記載する）（厚み１３０μｍ）
（２）袋の底面用積層フィルムの構成
（外側）ＯＮフィルム（厚み１５μｍ）・白ベタ印刷層／接着剤／Ｌ・ＬＤＰＥフィルム（厚み１１０μｍ）
上記各フィルムの貼り合わせは、いずれもドライラミネーション法で行い、各フィルムの間の接着剤は、ドライラミネート用の二液硬化型ポリウレタン系接着剤を使用したものである。
【００５１】
（３）袋の口部の内面に貼着する紙を基材とするテープ状シート１０の構成
ＬＤＰＥ層（厚み２０μｍ）／コップ原紙（米坪量２４０ｇ／ｍ2 ）／ＬＤＰＥ層（厚み４０μｍ）
尚、テープ状シート１０の幅は１５ｍｍとした。
（４）袋の口部の内面に熱接着して取り付けるチャックテープ１１の構成
チャックテープープ１１の材質は、雄型テープ体１５および雌型テープ体１６ともＬ・ＬＤＰＥ製とし、各テープ体の基本部分の幅はいずれも１３ｍｍとし、その一方に幅２０ｍｍの拡大テープ部１７a または拡大テープ部１７b を設けた構成のチャックテープを用いた。
（５）開口保持機能付き袋２００の寸法は、外形寸法が長さ（Ｌ）１９０ｍｍ、幅（Ｗ）１８０ｍｍとし、底部ガセット部４の折り込み長さは３５ｍｍとした。
尚、袋の上端から下方に１０ｍｍまでを上部シール部７の領域とし、その下に５ｍｍの間隔を開けてレーザー光照射により５本の平行なハーフカット線８を１ｍｍピッチで設け、その両端にノッチ９a 、９b を設けた。また、前記ハーフカット線８の下に更に７ｍｍの間隔を開けて、図７の（イ）に示したように、テープ状シート１０とチャックテープ１１とを順次熱接着して取り付けた。
【実施例２】
【００５２】
図４、図７の（ハ）に示した構成の開口保持機能付き袋４００を作製することとし、以下の材料と寸法で開口保持機能付き袋４００を作製して、実施例２の開口保持機能付き袋とした。
（１）袋の積層フィルム１の構成
（外側）ＰＥＴフィルム（厚み１２μｍ）・絵柄等印刷層／接着剤／ＯＮフィルム（厚み１５μｍ）／接着剤／Ｌ・ＬＤＰＥフィルム（厚み１２０μｍ）
上記各フィルムの貼り合わせは、いずれもドライラミネーション法で行い、各フィルムの間の接着剤は、ドライラミネート用の二液硬化型ポリウレタン系接着剤を使用したものである。
（２）袋の口部の内面に貼着する紙を基材とするテープ状シート１０の構成
ＬＤＰＥ層（厚み２０μｍ）／コップ原紙（米坪量２４０ｇ／ｍ2 ）／ＬＤＰＥ層（厚み４０μｍ）
尚、テープ状シート１０の幅は１５ｍｍとした。
【００５３】
（３）袋の口部の内面に熱接着して取り付けるチャックテープ１１の構成
チャックテープープ１１の材質は、雄型テープ体１５および雌型テープ体１６ともＬ・ＬＤＰＥ製とし、各テープ体の基本部分の幅はいずれも１３ｍｍとし、その一方に幅２０ｍｍの拡大テープ部１７a または拡大テープ部１７b を設けた構成のチャックテープを用いた。
（４）開口保持機能付き袋２００の寸法は、外形寸法が長さ（Ｌ）１９０ｍｍ、幅（Ｗ）１８０ｍｍとし、底部ガセット部４の折り込み長さは３５ｍｍとした。
尚、袋の上端から下方に１０ｍｍまでを上部シール部７の領域とし、その下に５ｍｍの間隔を開けてレーザー光照射により５本の平行なハーフカット線８を１ｍｍピッチで設け、その両端にノッチ９a 、９b を設けた。また、前記ハーフカット線８の下に更に７ｍｍの間隔を開けて、図７の（ハ）に示したように、テープ状シート１０を熱接着し、次いで、その下にチャックテープ１１を、雄型テープ体１５の拡大テープ部１７a と、雌型テープ体１６の拡大テープ部１７b とがそれぞれテープ状シート１０の上を覆うように配置し、テープ状シート１０、１０の上部にそれぞれ樋状成形部１３を熱成形すると同時にチャックテープ１１を熱接着する雄・雌の加熱成形用金型を用いて両側から加熱加圧する方法で、テープ状シート１０、１０の樋状の熱成形とチャックテープ１１の熱接着を行った。  尚、樋状成形部１３の最大深さは３ｍｍとなるように熱成形した。
【００５４】
以上のように作製した実施例１および実施例２の開口保持機能付き袋を評価するため、それぞれに内容物としてグラニュー糖５００ｇを充填した後、チャックテープ１１の嵌合と上部シール部７のヒートシールを行って実施例１および実施例２の開口保持機能付き袋による包装体を完成させた。
以上のように作製した実施例１および実施例２の開口保持機能付き袋による包装体は、いずれも内容物により袋の中間部から下部が前後に大きく広がり、安定した自立性を備え、外観にも優れていた。
【００５５】
また、それぞれの包装体について、内容物の取り出し時の操作性、および袋の再封性を調べるため、袋の上部シール部７を、一方のノッチ９a を始点としてハーフカット線８に沿って手で引き裂いて切り取ったところ、ハーフカット線８に沿って問題なく袋の口部、即ち、テープ状シート１０の上部を開封することができた。
開封されたテープ状シート１０の上部の両側の積層フィルム１を摘んで両側に引き離すことにより、チャックテープ１１の嵌合を容易に解離させることができ、袋の口部を大きく開口させることができた。次いで、開口させた袋の口部の中間部をそれぞれ外側に折り曲げたところ、いずれの包装体もテープ状シート１０、１０に折りクセが付き、開口の戻りも少なく、口部を大きく開口した状態に保持することができた。
次に、それぞれの袋に充填された内容物（グラニュー糖）をスプーンですくって取り出したところ、いずれもスプーンが袋の口部に触れることもなく容易に、また安全に取り出すことができた。
内容物の一部を取り出した後は、実施例１および実施例２の開口保持機能付き袋による包装体とも、チャックテープ１１を容易に嵌合させて袋を再封することができ、残りの内容物を安全に保存することができた。
【産業上の利用可能性】
【００５６】
本発明の開口保持機能付き袋は、密封性がよく内容物の保存性に優れると共に、使用後の廃棄処理も容易で、また、内容物を取り出す際には、袋の口部を大きく且つ保持性よく開口させることができ、内容物が固形物の場合はもとより、粒状、顆粒状、粉状などで計量カップやスプーンなどで取り出す場合でも容易に且つ安全に取り出すことができるものであり、また、内容物を少量ずつ複数回に分けて使用する場合でも再封性があり、最後まで安全に保存し使用できるものである。内容物に関しては、固形物のほか、粒状、顆粒状、粉状など広範囲の内容物に使用でき特に制限はない。
【図面の簡単な説明】
【００５７】
【図１】本発明の開口保持機能付き袋の第１の実施例の構成を示す正面図である。
【図２】本発明の開口保持機能付き袋の第２の実施例の構成を示す正面図である。
【図３】本発明の開口保持機能付き袋の第３の実施例の構成を示す正面図である。
【図４】本発明の開口保持機能付き袋の第４の実施例の構成を示す正面図である。
【図５】本発明の開口保持機能付き袋の第５の実施例の構成を示す正面図である。
【図６】（イ）、（ロ）は、それぞれ本発明の開口保持機能付き袋の一実施例の上部の構成を説明する上部中央部の部分模式縦断面図である。
【図７】（イ）、（ロ）、（ハ）、（ニ）は、それぞれ本発明の開口保持機能付き袋の更に別の一実施例の上部の構成を説明する上部中央部の部分模式縦断面図である。
【符号の説明】
【００５８】
１  積層フィルム
２  積層フィルム折り返し部
３a 、３b   底面フィルム切り欠き部
４  ガセット部
５、５a 、５b   底部シール部
６a 、６b   側部シール部
７  上部シール部
８  ハーフカット線
９a 、９b   ノッチ
１０  テープ状シート
１１  チャックテープ
１２  カバーフィルム
１３  樋状成形部
１４  嵌合部
１５  雄型テープ体
１６  雌型テープ体
１７a 、１７b   拡大テープ部
１００、２００、３００、４００、５００  開口保持機能付き袋
【図１】
2007191200.tif 000003
【図２】
2007191200.tif 000004
【図３】
2007191200.tif 000005
【図４】
2007191200.tif 000006
【図５】
2007191200.tif 000007
【図６】
2007191200.tif 000008
【図７】
2007191200.tif 000009